(57)【要約】      （修正有）【課題】既設の窓、出入口等の開口部に容易に取り付けて換気を行うことができ、換気を行わない場合には既設の窓や出入口を容易に閉じることのできる換気装置を提供する。【解決手段】換気装置１は、開閉手段を備えた開口部に取り付けられて、開口部の内側と外側との間で換気を行う換気装置である。換気装置１は、柔軟なベース部２と、ベース部２に着脱可能に取り付けられる一以上の送風ファン３と、開口部に固定されて、ベース部２を開口部に着脱可能に取り付ける固定部材とを備えている。固定部材は、開口部の枠体に固定される枠体側固定部材１１と、開閉手段に固定される開閉手段側固定部材１２とを備えている。さらにベース部２は、枠体側固定部材１１に着脱可能に取り付けられる枠体側取付部材４と開閉手段側固定部材１２に着脱可能に取り付けられる開閉手段側取付部材を備えている。【選択図】図５
0003235200.tif 000002
【実用新案登録請求の範囲】
【請求項１】
開閉手段を備えた開口部に取り付けられて、開口部の内側と外側との間で換気を行う換気装置であって、
柔軟なベース部と、
前記ベース部に着脱可能に取り付けられる一以上の送風ファンと、
前記開口部に固定されて、前記ベース部を前記開口部に着脱可能に取り付ける固定部材と、
を備えており、
前記固定部材が、前記開口部の枠体に固定される枠体側固定部材と、前記開口部の前記開閉手段に固定される開閉手段側固定部材とを備えており、
さらに、前記ベース部が、前記枠体側固定部材に着脱可能に取り付けられる枠体側取付部材と前記開閉手段側固定部材に着脱可能に取り付けられる開閉手段側取付部材と、からなる取付部材を備えていることを特徴とする換気装置。
【請求項２】
前記ベース部を前記開口部の前記枠体に取り付ける第二の固定部材をさらに備えていることを特徴とする請求項１記載の換気装置。
【請求項３】
前記固定部材と前記取付部材がそれぞれ磁石層を備えており、
前記固定部材に前記取付部材が前記磁石層の磁力によって着脱可能に取り付けられることを特徴とする請求項１または２に記載の換気装置。
【考案の詳細な説明】
【技術分野】
【０００１】
本考案は、換気装置に関する。特に、既設の窓、扉等の開口部に取り付けて開口部の内側と外側との間で換気を行うことのできる換気装置に関する。
【背景技術】
【０００２】
感染症対策には、閉鎖空間の換気が有効とされている。特に近年では、これまであまり換気を必要とされていなかった家庭の室内や事務所等であっても、換気を行うことが、強く求められている。
【０００３】
換気の最も簡単な方法は、窓や扉を開放することである。しかし、冷房や暖房の運転中であるとか、外部から室内をのぞかれることを回避したいといった理由から、窓や扉の開放が困難な場合がある。窓や扉を開放できない場合の換気の手段として、換気扇が設置されることがある。
【０００４】
換気扇を新たに設置する場合の多くは、取付工事が必要となる。そのため、工事を必要とせずに、より簡易な方法で取り付けられる換気扇が求められている。特許文献１には、既存の窓枠やサッシ窓自体に換気扇を後付けできる換気用窓パネル装置が開示されている。特許文献１の換気用窓パネル装置は、窓枠に引戸が設けられた窓に取り付ける装置であって、引戸のどちらか一方を半開きにした状態で、窓枠と引戸との隙間に着脱自在に取付けられる。特許文献１の装置は、四角形の板状部材に換気ファンが取り付けられており、板状部材の左右のいずれか一端に引戸の枠部と勘合する勘合部材を備えており、板状部材の他端部に窓枠に当接する密閉フィン部を備えている。
【０００５】
特許文献１の換気用窓パネル装置を取り付けた窓は、引戸が半開きの状態になるので、そのままでは施錠できない。鍵をかけるには、追加の施錠手段を設けるか、施錠の度に換気用窓用パネル装置を外す必要がある。しかしながら、装置の取付が窓枠との勘合によって行われているため、着脱には手間がかかる。
【先行技術文献】
【特許文献】
【０００６】
【特許文献１】実用新案登録愛３２３０７４８号公報
【考案の概要】
【考案が解決しようとする課題】
【０００７】
本考案は、上記課題に鑑みてなされたものであり、既設の窓、出入口等の開口部に容易に取り付けて換気を行うことができ、換気を行わない場合には既設の窓や出入口を容易に閉じることのできる換気装置の提供を、解決すべき課題としてなされたものである。
【課題を解決するための手段】
【０００８】
本考案は、開閉手段を備えた開口部に取り付けられて、開口部の内側と外側との間で換気を行う換気装置に関する。本考案の換気装置は、柔軟なベース部と、ベース部に着脱可能に取り付けられる一以上の送風ファンと、開口部に固定されて、ベース部を開口部に着脱可能に取り付ける固定部材を備えている。固定部材は、開口部の枠体に固定される枠体側固定部材と、開口部の開閉手段に固定される開閉手段側固定部材とを備えている。また、ベース部は、枠体側固定部材に着脱可能に取り付けられる枠体側取付部材と、開閉手段側固定部材に着脱可能に取り付けられる開閉手段側取付部材と、からなる取付部材を備えている。
【０００９】
本発明の換気装置は、ベース部を開口部の枠体に取り付ける第二の固定部材をさらに備えていることが好ましい。
【００１０】
本考案の換気装置は、固定部材と取付部材がそれぞれ磁石層を備えており、固定部材に取付部材が磁石層の間の磁力によって着脱可能に取り付けられることが好ましい。
【考案の効果】
【００１１】
本考案の換気装置は、取付対象の開口部の枠体に枠体側固定部材を固定し、開口部の開閉手段に開閉手段側固定部材を固定し、それぞれの固定部材にベース部のそれぞれの取付部材を取り付けることで、特別な工事を施すことなく、開口部に換気装置を容易に取り付けることができる。
【００１２】
本考案の換気装置は、ベース部の取付部材が固定部材に着脱可能に固定される。このため、固定部材からベース部の一部又は全部を外すことにより、開口部の開閉手段を容易に閉鎖することができる。
【００１３】
本考案の換気装置は、ベース部が柔軟な素材で形成されていることにより、運搬や保管時に、丸めたり折り畳んだりしてコンパクトに収納することができる。
【００１４】
本考案の換気装置は、ベース部を開口部の枠体に取り付ける第二の固定部材をさらに備えることで、より確実にベース部を開口部の枠体に固定することができる。
【図面の簡単な説明】
【００１５】
【図１】図１は、実施形態の換気装置を裏面から見た分解斜視図である。
【図２】図２は、換気装置の正面図である。
【図３】図３は、枠体側固定部材の側面図である。
【図４】図４は、第二の固定部材を示す図であり、図４（ａ）は第二の固定部材の正面図であり、図４（ｂ）は第二の固定部材の側面図である。
【図５】図５は、開口部である窓に取り付けた状態の換気装置の正面図である。
【考案を実施するための形態】
【００１６】
以下、本考案の換気装置の最も好適な実施形態を、開口部である四角形の窓に取り付けた場合について説明する。本実施形態では、窓が開口部に相当し、窓枠が開口部の枠体に相当し、窓枠内をスライド移動する一組の引き戸が開閉手段に相当する。
【００１７】
図１に好適な実施形態の換気装置１を裏面から見た分解斜視図を示し、図２に換気装置１の正面図を示し、図３に、窓枠に取り付けられる枠体側固定部材を示す。以下の説明において、換気装置１の表面（正面とも言う）とは室内に向かっている面であり、裏面とは、室外に向かっており、窓枠と引き戸に接する側の面を指す。また、以下の説明における「上下」、「縦横」、「左右」等の相対的な位置関係は、図面に示された位置関係に対応している。
【００１８】
本実施形態の換気装置１は、ベース部２と、送風ファン３を備えている。換気装置１はさらに、ベース部２とは別体の、枠体側固定部材１１と開閉手段側固定部材１２とを有している。
【００１９】
ベース部２は、柔軟な素材によって形成されている。ベース部２の最も好適な素材は不織布である。ベース部２には、他の織布や、合成樹脂で形成されたシート材も適用可能である。本実施形態のベース部２は略長方形の形状を有しており、好ましくは、長辺側の長さが、固定される開口部の高さ以上に形成されている。ベース部２を不織布や織布で形成することで、ベース部２を切り取って、開口部の大きさに合わせて配置することが可能となる。
【００２０】
ベース部２には、送風ファン３を取り付けるための貫通孔が設けられている。図１は、二個の送風ファン３を着脱可能に取り付ける態様を示している。送風ファン３は、プロペラとモーターを備えたファン本体部３ａとカバー部３ｂとで構成されている。カバー部３ｂは、ファン本体部３ａに、ねじ機構で取り付けることができる。ファン本体部３ａへの給電は図示されない電線を経由して家庭用のコンセントから行っても良く、それ以外にも、図示されない太陽電池や乾電池で給電しても良い。
【００２１】
図１は、ファン本体部３ａをベース部２の裏面の室外側に配置し、カバー部３ｂを表面の室内側に配置して、稼働時には室内の空気を室外に排出する構成を示している。しかしながら、送風ファン３はベース部２に対して着脱可能となっており、ファン本体部３ａをベース部２の表面の室内側に配置し、カバー部３ｂを裏面の室外側に配置して、稼働時には室外の空気を室内に導入することもできる。
【００２２】
ベース部２は、窓や扉に取り付けるための取付部材を備えている。取付部材は、左右両側の長辺全長に沿って配置された一定の幅を有するテープ状の部材である。取付部材は、ベース部２の一方の端部に配置されている枠体側取付部材４と、ベース部２の他方の端部に配置されている開閉手段側取付部材５とで構成されている。
【００２３】
ベース部２に対する取付部材の配置は、接着剤による接着、ろう付け、溶着、縫製等の任意の方法で行われる。これらの配置方法に加えて、ベース部２と枠体側取付部材４のより確実な固定のために、送風ファン３を取り付ける貫通穴の外側で、ベース部２と枠体側取付部材４をカシメ１３で固定することが好ましい。同様に、送風ファン３を取り付ける貫通穴の外側で、ベース部２と開閉手段側取付部材５をカシメ１３で固定することが好ましい。
【００２４】
好適な実施形態においては、枠体側取付部材４と開閉手段側取付部材５のそれぞれの表面全体に亘って、磁石層が配置されている。好適な磁石層の構成は、フェライト磁石の粉末と合成ゴムを混ぜ合わせて形成されたラバーマグネットである。
【００２５】
換気装置１は、ベース部２とは別体である、２つの固定部材を備えている。固定部材は、窓枠に固定される枠体側固定部材１１と、引き戸に固定される開閉手段側固定部材１２で構成されている。枠体側固定部材１１と開閉手段側固定部材１２の形状はほぼ同一である。また、枠体側固定部材１１の形状は枠体側取付部材４とほぼ同一であり、開閉手段側固定部材１２の形状は、開閉手段側取付部材５の形状とほぼ同一である。
【００２６】
図３に、枠体側固定部材１１の側面図を示す。好適な実施形態において、枠体側固定部材１１は、表面全体に、磁石層１１ａが配置されている。好適な磁石層１１ａの構成は、フェライト磁石の粉末と合成ゴムを混ぜ合わせて形成されたラバーマグネットである。枠体側固定部材１１の裏面全体に、窓枠に固定するための接着層１１ｂが配置されている。枠体側固定部材１１と開閉手段側固定部材１２は、ほぼ同一の構成を有している。
【００２７】
２つの固定部材の磁石層と、ベース部２の取付部材の磁石層は、表面の磁極が逆になるように配置されている。固定部材と取付部材は、それぞれが対向したときに磁力によって引き合い、固定部材に取付部材が着脱可能に取り付けられる。
【００２８】
本実施形態では、換気装置１はさらに、ベース部２を開口部の枠体に結合する第二の固定部材１６を備えている。好適な実施形態の第二の固定部材１６の例は、図４に示すフックである。図１および図２に示すように、ベース部２の上部に、フック１６を係止するためのフック穴６を設けることができる。フック１６を開口部の枠体に接着等の方法で固定子、フック１６をベース部２のフック穴６に掛けることで、ベース部２が開口部の枠体に一層確実に固定される。
【００２９】
図５に、窓の窓枠１０１と引き戸１０２に取り付けた状態の換気装置１の正面図を示す。窓枠１０１には、枠体側固定部材１１が固定されている。枠体側固定部材１１の磁力によって、ベース部２の枠体側取付部材４が固定されている。引き戸１０２には、開閉手段側固定部材１２が固定されている。開閉手段側固定部材１２の磁力によって、ベース部２の開閉手段側取付部材５が固定されている。さらに、窓枠１０１に第二の固定部材のフック１６が固定されており、ベース部２のフック穴６を掛けることで、ベース部２が窓枠１０１に確実に固定される。ベース部２の長辺が両辺とも固定されることで、換気装置１は、窓に安定して固定される。また、開閉手段側固定部材１２から開閉手段側取付部材５を外すことで、引き戸１０２を極めて窓を容易に閉鎖することができる。
【００３０】
以上、好適な換気装置１の実施形態を説明したが、ここで示した換気装置１の形状や構成要素は例示を目的としたものであり、実用新案登録請求の範囲を限定することを意図したものではない。実用新案請求の範囲には、実施形態を種々変形し、応用した換気装置が含まれる。たとえば、第二の固定部材は、フックではなく、スナップボタン等の着脱可能な任意の部材を適用である。
【産業上の利用可能性】
【００３１】
本考案の換気装置は、住居、店舗、学校等の開口部を有する室内と室外との間の換気を行う場合の換気装置として使用することができる。
【符号の説明】
【００３２】
１      換気装置
２      ベース部
３      送風ファン
３ａ    ファン本体部
３ｂ    カバー部
４      枠体側取付部材
５      開閉手段側取付部材
６      フック穴
１１    枠体側固定部材
１１ａ  磁石層
１１ｂ  接着層
１２    開閉手段側固定部材
１３    カシメ
１６    第二の固定部材
１０１  窓枠
１０２  引き戸
【図１】
0003235200.tif 000003
【図２】
0003235200.tif 000004
【図３】
0003235200.tif 000005
【図４】
0003235200.tif 000006
【図５】
0003235200.tif 000007